(57)【特許請求の範囲】
【請求項１】
エンジンの吸気弁及び排気弁の少なくとも一方の開閉時期を変更可能な可変動弁機構と、前記エンジンの吸気ポートに燃料を噴射する燃料噴射弁と、前記エンジン内部に流入する吸気量を調節するスロットルバルブと、前記エンジンの排気通路に設けられ排気を浄化する排気浄化装置とを備えたエンジンの制御装置において、
前記可変動弁機構を制御する開閉制御手段と、
前記燃料噴射弁からの燃料噴射時期を制御する燃料噴射制御手段と、
前記スロットルバルブの開度を制御するスロットル開度制御手段と、を備え、
前記排気浄化装置の不活性状態において、前記開閉制御手段は前記吸気弁及び前記排気弁がともに開弁状態となる重複期間を設け、前記燃料噴射制御手段は前記燃料噴射弁からの燃料噴射を前記エンジンの吸気行程中に実施するとともに前記燃料噴射弁から噴射された燃料が少なくとも前記重複期間の発生した後に燃焼室に到達するように前記燃料噴射時期を設定して、前記エンジンの気筒内の空燃比を理論空燃比よりもリッチとする昇温制御を実施する
ことを特徴とする、エンジンの制御装置。
【請求項２】
前記燃料噴射制御手段は、前記燃料噴射弁から噴射された燃料が前記重複期間の終了した後に前記燃料室に到達するように前記燃料噴射時期を設定し、前記重複期間は新気のみを前記排気通路へ吹き抜けさせる
ことを特徴とする、請求項１記載のエンジンの制御装置。
【請求項３】
前記エンジンの点火時期を制御する点火制御手段を備え、
前記点火制御手段は、前記エンジンの冷態始動直後において前記エンジンの点火時期をリタードする
ことを特徴とする、請求項１又は２記載のエンジンの制御装置。
【請求項４】
前記スロットル開度制御手段は、少なくとも前記点火時期のリタードに基づいて前記スロットルバルブの開度を増大させる
ことを特徴とする、請求項３記載のエンジンの制御装置。
【請求項５】
前記スロットル開度制御手段は、前記昇温制御において前記重複期間中の前記吸気ポートの圧力が排気ポートの圧力よりも高くなるように前記スロットルバルブの開度を増大させる
ことを特徴とする、請求項１〜４のいずれか１項に記載のエンジンの制御装置。
【請求項６】
前記吸気を圧縮する過給機を備え、
前記過給機により前記昇温制御において前記重複期間中の前記吸気ポートの圧力を排気ポートの圧力よりも高くする
ことを特徴とする、請求項１〜５のいずれか１項に記載のエンジンの制御装置。
【請求項７】
前記排気浄化装置の温度が所定温度以上であるか否かを判定する温度判定手段を備え、
前記温度判定手段により前記排気浄化装置の温度が前記所定温度以上であると判定されたら、前記スロットルバルブの開度と前記燃料噴射時期と前記吸気弁及び前記排気弁の前記重複期間とを、前記エンジンへの出力要求に応じた通常の制御とする
ことを特徴とする、請求項１〜６のいずれか１項に記載のエンジンの制御装置。
【発明の詳細な説明】
【技術分野】
【０００１】
本発明は、排気系に設けられる排気浄化用の触媒等を備えたポート噴射式のエンジンの制御装置に関する。
【背景技術】
【０００２】
エンジンの排気系には、排気浄化用の触媒（酸化触媒や三元触媒等）やフィルタ等を備える排気浄化装置が設けられる。このうち、触媒は、温度が低い状態では十分に排気浄化性能を発揮することができないため、このような温度状況下では、排気浄化性能が低下してしまうおそれがある。そのため、エンジンの冷態始動直後等の排気浄化装置の温度が低い不活性状態では、早期に排気浄化装置の温度を上げて触媒を昇温させ、適切な排気浄化性能を得られるようにすることが望まれており、これに関する技術が種々提案されている。
【０００３】
例えば、特許文献１には、排気通路に触媒が設けられた筒内噴射式エンジンにおいて、アイドル状態で触媒が不活性状態にある場合に、吸気弁及び排気弁をともに開弁状態とし（すなわち、バルブオーバラップさせ）、燃料室からの熱をもらって昇温した吸入空気を排気ポートに送る構成が記載されている。この装置によれば、燃焼室で燃え残ったＨＣを排気ポートで効率よく後燃えさせて触媒を早期に昇温させることができ、同時に排気未燃ＨＣの濃度を減少させることができるとされている。
【先行技術文献】
【特許文献】
【０００４】
【特許文献１】特開２０１０−１１２２９６号公報
【発明の概要】
【発明が解決しようとする課題】
【０００５】
しかしながら、上記の特許文献１の装置は、圧縮行程噴射による成層燃焼を前提としているので、燃焼室内の平均空燃比は理論空燃比（ストイキ）からややリーン程度であると考えられる。そのため、燃焼室内で燃え残るＨＣ量が少なく、排気ポートでの未燃ＨＣと空気との反応によって得られる後燃え効果が十分ではないおそれがある。このため、触媒が速やかに昇温されず、上記したように排気浄化性能の低下を招き、昇温に時間がかかることは燃費の悪化にもつながる。また、特許文献１は圧縮行程又は膨張行程で燃料噴射を行って強成層燃焼させるものであるため、燃料の気化が悪く、スモークや粒子状物質（ＰＭ）の発生を招くおそれがある。そのため、これらの対策用フィルタ等を排気通路に余計に設ける必要がある。
【０００６】
本件はこのような課題に鑑み案出されたもので、排気浄化装置の不活性状態において、効率的に排気浄化装置の触媒を昇温させるとともに、吹き抜けＨＣを低減することができるようにした、エンジンの制御装置を提供することを目的の一つとする。
なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００７】
（１）ここで開示するエンジンの制御装置は、エンジンの吸気弁及び排気弁の少なくとも一方の開閉時期を変更可能な可変動弁機構と、前記エンジンの吸気ポートに燃料を噴射する燃料噴射弁と、前記エンジン内部に流入する吸気量を調節するスロットルバルブと、前記エンジンの排気通路に設けられ排気を浄化する排気浄化装置とを備えたエンジンの制御装置において、前記可変動弁機構を制御する開閉制御手段と、前記燃料噴射弁からの燃料噴射時期を制御する燃料噴射制御手段と、前記スロットルバルブの開度を制御するスロットル開度制御手段と、を備える。
そして、前記排気浄化装置の不活性状態において、前記開閉制御手段は前記吸気弁及び前記排気弁がともに開弁状態となる重複期間を設け、前記燃料噴射制御手段は前記燃料噴射弁からの燃料噴射を前記エンジンの吸気行程中に実施するとともに前記燃料噴射弁から噴射された燃料が少なくとも前記重複期間の発生した後に燃焼室に到達するように前記燃料噴射時期を設定して、前記エンジンの気筒内の空燃比を理論空燃比よりもリッチとする昇温制御を実施することを特徴としている。
【０００８】
（２）前記燃料噴射制御手段は、前記燃料噴射弁から噴射された燃料が前記重複期間の終了した後に前記燃焼室に到達するように前記燃料噴射時期を設定し、前記重複期間は新気のみを前記排気通路へ吹き抜けさせることが好ましい。
（３）前記エンジンの点火時期を制御する点火制御手段を備え、前記点火制御手段は、前記昇温制御において前記エンジンの点火時期をリタードすることが好ましい。
【０００９】
（４）前記スロットル開度制御手段は、少なくとも前記点火時期のリタードに基づいて前記スロットルバルブの開度を増大させることが好ましい。
（５）前記スロットル開度制御手段は、前記昇温制御において前記重複期間中の前記吸気ポートの圧力が排気ポートの圧力よりも高くなるように前記スロットルバルブの開度を増大させることが好ましい。
【００１０】
（６）前記吸気を圧縮する過給機を備え、前記過給機により前記昇温制御において前記重複期間中の前記吸気ポートの圧力を排気ポートの圧力よりも高くすることが好ましい。
（７）前記排気浄化装置の温度が所定温度以上であるか否かを判定する温度判定手段を備え、前記温度判定手段により前記排気浄化装置の温度が前記所定温度以上であると判定されたら、前記スロットルバルブの開度と前記燃料噴射時期と前記吸気弁及び前記排気弁の前記重複期間とを、前記エンジンへの出力要求に応じた通常の制御とすることが好ましい。
【発明の効果】
【００１１】
開示のエンジンの制御装置によれば、排気通路において、吹き抜けた吸気中の酸素（Ｏ2）と燃焼によって多く生成された一酸化炭素（ＣＯ）とが反応するときの反応熱によって排気温度が上昇する。また、吹き抜けた吸気中の酸素は、排気通路において未燃ＨＣとも反応してさらに排気の温度が上昇する。つまり、排気浄化装置の不活性状態において、排気の温度を急速に効率よく上げることができる。これにより、排気通路に設けられた排気浄化装置の触媒を速やかに昇温させることができる。一方、排気通路においてＣＯ及びＨＣがそれぞれＯ2と反応してＣＯ2及びＨ2Ｏとなるため、有害なＣＯ及びＨＣの排出を低減させることができる。
【図面の簡単な説明】
【００１２】
【図１】一実施形態に係るエンジンの制御装置を例示する構成図である。
【図２】一実施形態に係るエンジンの制御装置による昇温制御の内容を説明する図であり、（ａ）は排気弁のみ開弁状態、（ｂ）はバルブオーバーラップしている状態、（ｃ）は吸気弁のみ開弁状態を示す。
【図３】一実施形態に係るエンジンの制御装置による制御内容を示すフローチャートである。
【発明を実施するための形態】
【００１３】
図面を参照して制御装置について説明する。なお、以下に示す実施形態はあくまでも例示に過ぎず、以下の実施形態で明示しない種々の変形や技術の適用を排除する意図はない。
【００１４】
［１．装置構成］
［１−１．エンジン構造］
本実施形態のエンジンの制御装置は、図１に示すポート噴射式のエンジン１０に適用される。ここでは、多気筒のエンジン１０に設けられた複数のシリンダ（気筒）１９のうちの一つを示す。シリンダ１９内を往復摺動するピストン１６は、コネクティングロッドを介してクランクシャフト１７に接続される。
【００１５】
このシリンダ１９の燃焼室形状はペントルーフ型であり、シリンダ１９の縦断面で燃焼室の上部が三角屋根状に形成されている。三角屋根の一方の斜面には吸気ポート１１が設けられ、他方の斜面には排気ポート１２が設けられる。また、シリンダ１９頂面の中央部には、点火プラグ１３がその先端を燃焼室側に突出させた状態で設けられ、図示しないイグニッションコイルから供給される高圧電流により燃焼室内で火花を発生させ、燃焼室内の混合気に点火する。この点火プラグ１３による点火時期は、後述のエンジン制御装置１の点火制御部１ｅにより電子制御される。
また、吸気ポート１１には吸気弁１４が設けられ、排気ポート１２には排気弁１５が設けられる。吸気弁１４の開閉駆動により吸気ポート１１と燃焼室とが連通又は遮断され、排気弁１５の開閉駆動により排気ポート１２と燃焼室とが連通又は遮断される。
【００１６】
吸気弁１４及び排気弁１５の上端部はそれぞれ、ロッカアーム３５，３７の一端に接続される。ロッカアーム３５，３７はロッカシャフトに軸支された揺動部材であり、それぞれのロッカアーム３５，３７の揺動により吸気弁１４及び排気弁１５が上下方向に往復駆動される。また、ロッカアーム３５，３７の他端には、カムシャフトに軸支されたカム３６，３８が設けられる。これにより、ロッカアーム３５，３７の揺動パターンはカム３６，３８の形状（カムプロファイル）に応じたものとなる。
シリンダ１９の周囲には、その内部を冷却水が流通するウォータージャケット４０が設けられる。冷却水はエンジン１０を冷却するための冷媒であり、ウォータージャケット４０とラジエータとの間を環状に接続する冷却水循環路内を流通している。
【００１７】
［１−２．動弁系］
本エンジン１０には、ロッカアーム３５，３７又はカム３６，３８の動作を制御する可変動弁機構６が設けられる。可変動弁機構６は、吸気弁１４及び排気弁１５のそれぞれについて、最大バルブリフト量及びバルブタイミングを個別に、又は、連動させつつ変更する機構である。可変動弁機構６は、ロッカアーム３５，３７の揺動量及び揺動のタイミングを変更する機構として、可変バルブリフト機構６ａと可変バルブタイミング機構６ｂとを備える。
【００１８】
可変バルブリフト機構６ａは、吸気弁１４や排気弁１５の最大バルブリフト量を連続的に変更する機構である。
また、可変バルブタイミング機構６ｂは、吸気弁１４や排気弁１５の開閉時期（開閉のタイミング，バルブタイミングともいう）を変更する機構である。この可変バルブタイミング機構６ｂは、ロッカアーム３５，３７に揺動を生じさせるカム３６，３８又はカムシャフトの回転位相を変更する機能を有する。カム３６，３８又はカムシャフトの回転位相を変更することで、クランクシャフト１７の回転位相に対するロッカアーム３５，３７の揺動のタイミングを連続的にずらすことが可能となる。
【００１９】
［１−３．吸排気系］
吸気ポート１１内には、燃料を噴射するインジェクタ（燃料噴射弁）１８が設けられる。図１に示すように、インジェクタ１８よりも吸気流の上流側には、インテークマニホールド（以下、インマニという）２０が設けられる。このインマニ２０には、吸気ポート１１側へと流れる空気を一時的に溜めるためのサージタンク２１が設けられる。サージタンク２１よりも下流側のインマニ２０は、複数のシリンダ１９に向かって分岐するように形成され、その分岐点にサージタンク２１が位置する。サージタンク２１は、各々のシリンダ１９で発生する吸気脈動や吸気干渉を緩和するように機能する。
【００２０】
インマニ２０の上流端には、スロットルボディ２３が接続される。スロットルボディ２３の内部には電子制御式のスロットルバルブ２４が内蔵され、インマニ２０側へと流通する空気量がスロットルバルブ２４の開度（スロットル開度）に応じて調節される。スロットル開度は、エンジン制御装置１のスロットル開度制御部１ｂによって電子制御される。
スロットルボディ２３のさらに上流側には、吸気通路２５が接続される。また、吸気通路２５のさらに上流側にはエアフィルタ２８が介装される。これにより、エアフィルタ２８で濾過された新気が吸気通路２５及びインマニ２０を介してエンジン１０のシリンダ１９に供給される。
【００２１】
一方、排気ポート１２よりも排気流の下流側には、エキゾーストマニホールド（以下、エキマニという）３０，排気浄化装置３２及び排気通路３９が設けられる。エキマニ３０は複数のシリンダ１９から合流するように形成され、その下流側の排気通路３９に接続される。また、排気浄化装置３２は、排気通路３９上に介装された触媒装置であって、排気中に含まれる炭化水素（ＨＣ）成分や一酸化炭素（ＣＯ），窒素酸化物（ＮＯｘ）等を浄化する機能を持ち、例えば酸化触媒や三元触媒を備える。エンジン１０の燃焼室から排出された排気中のＨＣは排気浄化装置３２の触媒の働きにより酸化除去される。
【００２２】
また、このエンジン１０の吸排気系には、排気圧を利用してシリンダ１９内に吸気を過給するターボチャージャー（過給機）３１が設けられる。ターボチャージャー３１は、吸気通路２５と排気通路３９との両方にまたがって介装された過給機である。ターボチャージャー３１は、排気通路３９内の排気圧でタービン２７を回転させ、その回転力を利用してコンプレッサ２６を駆動することにより、吸気通路２５側の吸気を圧縮してエンジン１０への過給を行う。なお、吸気通路２５上におけるコンプレッサ２６よりも吸気流の下流側にはインタクーラー２９が設けられ、圧縮された空気が冷却されている。
【００２３】
［１−４．検出系］
クランクシャフト１７には、その回転角θCRを検出するクランク角センサ３３が設けられる。回転角θCRの単位時間あたりの変化量はエンジン１０の実回転数Ｎｅに比例する。したがって、クランク角センサ３３はエンジン１０の実回転数Ｎｅを検出する機能を持つものといえる。ここで検出（または演算）された実回転数Ｎｅの情報は、エンジン制御装置１に伝達される。なお、クランク角センサ３３で検出された回転角θCRに基づき、エンジン制御装置１で実回転数Ｎｅを演算する構成としてもよい。以下、エンジン１０の実回転数Ｎｅのことを単にエンジン回転数Ｎｅとも呼ぶ。
【００２４】
スロットルバルブ２４の下流側には、吸気圧力ＰINを検出するインマニ圧センサ２２が設けられる。インマニ圧センサ２２は、サージタンク２１内の圧力（吸気ポート１１内の圧力に対応する圧力）を検出するセンサである。なお、各シリンダ１９の吸気ポート１１内にインマニ圧センサ２２を配置してもよい。ここで検出された吸気圧力ＰINの情報は、エンジン制御装置１に伝達される。
【００２５】
エンジン１０のウォータジャケット４０近傍の冷却水循環路上には、エンジン１０の冷却水の温度（冷却水温ＷＴ）を検出する冷却水温センサ４１が設けられる。また、排気浄化装置３２の上流側には、排気温度Ｔを検出する排気温度センサ４２が設けられる。排気温度センサ４２は、排気通路３９を流通する排気の温度（排気浄化装置３２の温度に対応する温度）を検出するセンサである。なお、排気浄化装置３２の触媒の温度を直接検出するようにしてもよい。ここで検出された冷却水温ＷＴ及び排気温度Ｔの情報は、エンジン制御装置１に伝達される。
【００２６】
車両には、アクセルペダルの踏み込み量に対応する操作量θACを検出するアクセルペダルセンサ３４が設けられる。アクセルペダルの踏み込み操作量θACは、運転者の加速要求に対応するパラメータであり、すなわちエンジン１０への出力要求に対応する。ここで検出された操作量θACの情報は、エンジン制御装置１に伝達される。
【００２７】
［１−５．制御系］
この車両には電子制御装置として、エンジン制御装置（Engine Electronic Control Unit）１が設けられる。エンジン制御装置１は、例えばマイクロプロセッサやＲＯＭ，ＲＡＭ等を集積したＬＳＩデバイスや組み込み電子デバイスとして構成され、車両に設けられた車載ネットワーク網の通信ラインを介して他の電子制御装置や可変動弁機構６，各種センサ類と接続される。
【００２８】
このエンジン制御装置１は、エンジン１０に関する点火系，燃料系，吸排気系及び動弁系といった広汎なシステムを制御する電子制御装置である。エンジン制御装置１の具体的な制御対象としては、インジェクタ１８から噴射される燃料量や噴射時期，点火プラグ１３での点火時期，吸気弁１４及び排気弁１５のバルブリフト量及びバルブタイミング，スロットルバルブ２４の開度などが挙げられる。本実施形態では、エンジン１０の冷態始動が完了した直後（すなわち、排気浄化装置３２が不活性状態のとき）に、排気浄化装置を早期に昇温させる昇温制御について詳述する。
【００２９】
［２．制御構成］
エンジン制御装置１には、上記の昇温制御を実施するための機能要素として、エンジン状態判定部１ａ，スロットル開度制御部１ｂ，バルブタイミング制御部１ｃ，燃料噴射制御部１ｄ，点火制御部１ｅ及び温度判定部１ｆが設けられる。
【００３０】
エンジン状態判定部１ａは、エンジン１０が冷態であるか否かの判定と、エンジン１０の始動が完了したか否かの判定を実施するものである。まず、エンジン状態判定部１ａは、冷却水温センサ４１で検出した冷却水温ＷＴと所定の閾値とを比較し、冷却水温ＷＴがこの閾値未満の場合はエンジン１０が冷態であると判定し、冷却水温ＷＴがこの閾値以上の場合はエンジン１０が温態であると判定する。また、エンジン状態判定部１ａは、エンジン１０が冷態であると判定されたらエンジン１０の始動状態を判定する。エンジン状態判定部１ａは、図示しないスタータモータによりエンジン１０のクランキングが実行されているときはエンジン１０の始動中であると判定し、エンジン１０の回転数が所定の回転数以上であればエンジン１０が自発的に運転している（すなわち、エンジン１０が完爆した）と判定し、エンジン１０の始動が完了したと判定する。
【００３１】
エンジン状態判定部１ａでの判定は、排気浄化装置３２に対する昇温制御が必要であるか否かの判定である。すなわち、このエンジン状態判定部１ａにおいて、エンジン１０が冷態であり且つ始動が完了したと判定されたら、排気温度が低温であるため排気通路３９に設けられた排気浄化装置３２の触媒も活性温度まで昇温されていないので（すなわち、排気浄化装置３２が不活性状態であるため）、排気浄化装置３２を早期に昇温させる（つまり、触媒を早期に昇温させる）必要がある。したがって、エンジン状態判定部１ａにおいて昇温制御が必要であると判定された場合は、以下のスロットル開度制御部１ｂ，バルブタイミング制御部１ｃ，燃料噴射制御部１ｄ及び点火制御部１ｅによって昇温制御が実施される。
【００３２】
スロットル開度制御部（スロットル開度制御手段）１ｂは、エンジン回転数Ｎｅ及びエンジン負荷に応じてスロットルバルブ２４に制御信号を出力し、スロットル開度を制御するものである。ここでは、例えばアクセルペダルの踏み込み操作量θACに基づいてエンジン負荷が判断される。具体的なスロットル開度の制御内容については任意である。
【００３３】
本実施形態では、スロットル開度制御部１ｂは、エンジン状態判定部１ａによって昇温制御が必要であると判定された場合に、スロットル開度を開放方向に制御する（すなわち、スロットル開度を増大させる）。これにより、吸気ポート１１の圧力（吸気圧力）ＰINを排気ポート１２の圧力よりも高くする。言い換えると、スロットル開度制御部１ｂは、吸気ポート１１の圧力が排気ポート１２の圧力よりも高くなる程度にスロットル開度を増大させるようにスロットルバルブ２４を制御する。
【００３４】
また、スロットル開度の増大によりエンジン出力（トルク）を増大させることができる。トルクが過大となりすぎる場合は、後述する点火制御部１ｅによって点火時期がリタードされることにより解消される。また、スロットル開度制御部１ｂは、昇温制御が終了されると、エンジン１０への出力要求に応じたスロットル開度に制御される（すなわち、通常の制御に切り替えられる）。
また、本実施形態では、排気圧を利用してシリンダ１９内に吸気を過給するターボチャージャー３１が設けられるため、スロットル開度の増大に加え、ターボチャージャー３１を利用することにより容易に吸気ポート１１の圧力が排気ポート１２の圧力よりも高くされる。
【００３５】
バルブタイミング制御部（開閉制御手段）１ｃは、エンジン回転数Ｎｅ及びエンジン負荷に応じて可変バルブタイミング機構６ｂに信号を出力し、吸気弁１４及び排気弁１５のそれぞれの開閉、すなわちバルブタイミング（開弁及び閉弁のタイミング）を制御するものである。このバルブタイミング制御部１ｃの吸気弁１４及び排気弁１５の開閉制御によって、バルブオーバーラップ（吸気弁１４と排気弁１５とがともに開弁状態となる重複期間）が設けられ、その期間の増減が制御される。ここでは、例えば吸気圧力ＰINに基づいてエンジン負荷が判断される。
【００３６】
具体的なバルブタイミングを制御するための機械的構成については特に限定されない。例えば、エンジン回転数Ｎｅが上昇するに連れてバルブオーバーラップが増大するようにバルブタイミングが制御される。一方、バルブオーバーラップが過剰に増加するとかえって充填効率が低下するため、エンジン回転数がある程度高い場合には、バルブオーバーラップが減少するようになっている。
【００３７】
本実施形態では、バルブタイミング制御部１ｃは、エンジン状態判定部１ａによって昇温制御が必要であると判定された場合に、吸気弁１４の開弁時期を進角する制御を行うか、排気弁１５の閉弁時期を遅角する制御を行うか、或いは、この両方の制御を行ってバルブオーバーラップを設ける。通常、エンジン１０の始動完了直後はバルブオーバーラップを設けないが、ここではあえてバルブオーバーラップを設ける。なお、このバルブオーバーラップの大きさは、吸気ポート１１から排気ポート１２へ直接吸気が吹き抜ける程度のものとする。これにより、吸気の吹き抜けを生じさせる。また、バルブタイミング制御部１ｃは、昇温制御が終了されると、エンジン１０への出力要求に応じた通常の制御に切り替えられる。
【００３８】
燃料噴射制御部（燃料噴射制御手段）１ｄは、エンジン回転数Ｎｅ及びエンジン負荷に応じてインジェクタ１８に信号を出力し、インジェクタ１８から吸気ポート１１へ向けて噴射される燃料量や燃料噴射時期を制御するものである。
本実施形態では、燃料噴射制御部１ｄは、エンジン状態判定部１ａによって昇温制御が必要であると判定された場合に、燃料噴射を吸気行程中に行うように制御する（すなわち、燃料噴射時期を吸気行程中とする）。また、燃料噴射制御部１ｄは、インジェクタ１８から噴射された燃料が少なくともバルブオーバラップの発生した後に燃焼室に到達するように燃料噴射時期を制御する。ここでは、バルブオーバラップの終了後（すなわち、すでに排気弁１５は閉弁状態となっているとき）に、インジェクタ１８から噴射された燃料が燃焼室に到達するように制御される。
【００３９】
つまり、上記のオーバーラップによって排気ポート１２へ吹き抜けさせるのは酸素を含んだ吸気（新気）のみであって、燃料は吹き抜けないように制御される。これにより、エキマニ３０や排気通路３９内の空燃比（排気空燃比）が理論空燃比（ストイキ）であっても、シリンダ１９内（筒内）の空燃比は理論空燃比よりもリッチとなる。また、燃料噴射制御部１ｄは、昇温制御が終了されると、エンジン１０への出力要求に応じた燃料量及び燃料噴射時期に制御される（すなわち、通常の制御に切り替えられる）。
【００４０】
点火制御部（点火制御手段）１ｅは、エンジン回転数Ｎｅ及びエンジン負荷に応じて点火プラグ１３に信号を出力し、点火プラグ１３による点火時期を制御するものである。
本実施形態では、点火制御部１ｅは、エンジン状態判定部１ａによって昇温制御が必要であると判定された場合に、点火時期をリタード（遅角）させるように制御する。ここでは、点火時期の遅角量は比較的大きく（例えば上死点後１０度以上）に設定される。これにより、排気温度を上昇させる。なお、上記したスロットル開度制御部１ｂは、少なくともこの点火制御部１ｅによる点火時期のリタードに基づいてスロットルバルブ２４の開度を増大させることにより、点火時期のリタードに伴うトルクの低下を抑制する。また、点火制御部１ｅは、昇温制御が終了されると、エンジン１０への出力要求に応じた点火時期に制御される（すなわち、通常の制御に切り替えられる）。
【００４１】
上記の内容をまとめると、エンジン状態判定部１ａによって排気浄化装置３２に対する昇温制御が必要であると判定された場合は、スロットル開度制御部１ｂがスロットルバルブ２４のスロットル開度を増大し、バルブタイミング制御部１ｃがバルブオーバーラップを設ける。そして、燃料噴射制御部１ｄが燃料噴射時期を吸気行程中とし、さらに点火制御部１ｅが点火時期をリタードする。これらによって昇温制御が実施される。この昇温制御は、以下の温度判定部１ｆによる判定によって終了される。
【００４２】
温度判定部（温度判定手段）１ｆは、昇温制御により排気浄化装置３２が所定温度まで昇温されたか否かを判定するものである。ここでは、排気通路３９に設けられた温度センサ４２で検出された排気温度Ｔが排気浄化装置３２の温度と対応するものとする。温度判定部１ｆは、検出された排気温度Ｔと、予め設定された排気浄化装置３２の触媒の活性温度（すなわち、所定温度）ＴTHとを比較する。そして、排気温度Ｔが活性温度ＴTH以上であると判定したときは、排気浄化装置３２は昇温されたものと判定する。一方、排気温度Ｔが活性温度ＴTH未満のときは排気浄化装置３２の昇温がまだ完了していない（すなわち、排気浄化装置３２は未だ不活性状態である）と判定する。
【００４３】
温度判定部１ｆによって排気浄化装置３２が昇温されたと判定された場合は、上記の昇温制御が終了され、通常の制御に切り替えられる。一方、温度判定部１ｆによって排気浄化装置３２の昇温がまだ完了していないと判定された場合は、昇温されたと判定されるまで上記の昇温制御が継続される。
【００４４】
［３．作用］
本実施形態に係るエンジン制御装置１は上述のように構成されているので、昇温制御は例えば以下のように行われる。以下の説明では、昇温制御による作用を示した図２（ａ）〜（ｃ）を用いる。図２（ａ）は排気行程において排気弁１５のみが開弁状態であるときを示し、図２（ｂ）は排気行程又は吸気行程において吸気弁１４及び排気弁１５がバルブオーバーラップしている状態を示し、図２（ｃ）は吸気行程において吸気弁１４のみが開弁状態であるときを示す。
【００４５】
エンジン状態判定部１ａによって排気浄化装置３２の昇温制御が必要であると判定されると、図２（ａ）に示すように、スロットル開度制御部１ｂによってスロットルバルブ２４の開度が増大される。このとき、吸気弁１４は閉弁状態とされているため、吸気ポート１１の吸気圧力ＰINが高まる。また、インジェクタ１８からの燃料噴射は実施されていないので、吸気ポート１１内には酸素を含んだ空気のみが充填される。なお、排気弁１５は開弁されているため、シリンダ１９内で燃焼し終えた排気は排気ポート１２へ排出される。
【００４６】
次に、図２（ｂ）に示すように、バルブタイミング制御部１ｃによって、排気弁１５が完全に閉弁される前に吸気弁１４が開弁され、バルブオーバーラップが設けられる。このとき、吸気ポート１１の圧力が高められているので、吸気ポート１１に溜まった吸気は吸気ポート１１から勢いよくシリンダ１９内に流れ込む。そして、その吸気の一部は、シリンダ１９内にとどまらずに排気ポート１２へと流れる。これがいわゆる吹き抜けである。この吹き抜ける吸気には、酸素は含まれているが燃料は含まれていない。つまり、排気ポート１２には、シリンダ１９内で燃焼し終えた排気に加え、吸気ポート１１から直接酸素を含んだ吸気が流れ込む。
【００４７】
次に、図２（ｃ）に示すように、排気弁１５は完全に閉弁されてシリンダ１９内には吸気が流れ込む。このとき、燃料噴射制御部１ｄによってインジェクタ１８から吸気ポート１１へ燃料が噴射される。つまり、シリンダ１９内には燃料と混合された吸気（混合気）が流れ込む。ここで、燃料を含まない吸気の一部は排気ポート１２へ吹き抜けたため、エキマニ３０や排気通路３９内の空燃比が理論空燃比（ストイキ）であっても、シリンダ１９内の空燃比は理論空燃比よりもリッチとなる（すなわち、空燃比が小さくなる）。この状態で、圧縮行程を経た後爆発行程（燃焼行程）において点火プラグ１３によって点火される。なお、このとき、点火制御部１ｅによって点火時期がリタードされる。
【００４８】
爆発行程においてシリンダ１９内で燃焼された排気は、排気行程において排気ポート１２へ排出される。ここで、シリンダ１９内の空燃比は吸気行程においてストイキよりもリッチとなっているので、燃焼により多くのＣＯが生成される。このＣＯは、爆発行程において燃焼しきれなかった未燃状態の燃料（すなわち、未燃ＨＣ）とともに、排気行程において排気ポート１２へ排出される。そして、このＣＯ及び未燃ＨＣは、排気ポート１２へ吹き抜けていた吸気（酸素）と排気通路３９において反応し、ＣＯ2及びＨ2Ｏに酸化される。このときの酸化熱によって排気温度が上昇し、排気通路３９に設けられた排気浄化装置３２の温度も上昇する。つまり、排気浄化装置３２の触媒が昇温される。
【００４９】
［４．フローチャート］
図３はエンジン制御装置１で実行される制御手順を例示するフローチャートである。このフローは、エンジン制御装置１の内部において所定の周期で繰り返し実施される。また、下記の各ステップは、コンピュータのハードウェアに割り当てられた各機能（手段）が、ソフトウェア（コンピュータプログラム）によって動作することによって実施される。
【００５０】
ドライバによる車両のイグニッションスイッチのオン操作が行われると、本制御装置は以下の制御フローをスタートする。
図３に示すように、まず、ステップＳ１０において、フラグＦ＝０であるか否かを判定する。ここで、フラグＦとは、上記した昇温制御が実施されているか否かをチェックするための変数であり、制御開始時はフラグＦ＝０と設定されている。そのため、制御開始時はステップＳ１０においてＹＥＳルートとなり、ステップＳ２０へ進む。ステップＳ２０において、冷却水温センサ４１で冷却水の温度ＷＴを検出する。次いで、ステップＳ３０において、この冷却水温ＷＴと所定の閾値とが比較され、エンジン１０が冷態か否かが判定される。
【００５１】
ステップＳ３０において冷却水温ＷＴが所定の閾値よりも低い場合はエンジン１０が冷態であると判定され、ＹＥＳルートからステップＳ４０へ進む。一方、冷却水温ＷＴが所定の閾値以上の場合はエンジン１０が冷態ではない（すなわち、温態である）と判定され、ＮＯルートへ進んでこの制御フローを終了する。すなわち、エンジン１０が冷態でない場合は、排気浄化装置３２の昇温制御は不要であるとみなされる。
【００５２】
ステップＳ４０では、エンジン１０の始動が完了したか否かが判定される。エンジン１０が未だ始動中の場合は、ＮＯルートからリターンする。一方、エンジン１０の始動が完了したらＹＥＳルートからステップＳ５０へ進む。なお、ステップＳ３０及びステップＳ４０の判定は、いずれもエンジン状態判定部１ａで行われる。ステップＳ５０では、フラグＦがＦ＝１に設定され、次いで、ステップＳ６０において上記した昇温制御が実施され、排気浄化装置３２が昇温される。
【００５３】
ステップＳ７０では、排気浄化装置３２の昇温が完了したか否かが判定される。この判定は温度判定部１ｆで行われる。排気浄化装置３２の昇温が完了した（すなわち、触媒が活性温度まで温度上昇した）と判定されたら、ＹＥＳルートへ進みこの制御フローを終了して通常の制御に切り替えられる。また、排気浄化装置３２の昇温が完了していない場合は、ＮＯルートへ進んでリターンする。このとき、フラグＦはＦ＝１に設定されているため、ステップＳ１０の判定でＮＯルートからステップＳ６０へ進み、昇温制御が実施される。そして、ステップＳ７０の判定で昇温が完了したと判定されるまで制御フローが繰り返される。
【００５４】
［５．効果］
したがって、本制御装置によれば、排気通路３９において、吹き抜けた吸気中の酸素（Ｏ2）と燃焼によって多く生成された一酸化炭素（ＣＯ）とが反応するときの反応熱によって排気温度が上昇する。また、吹き抜けた吸気中の酸素（Ｏ2）は、排気通路３９において未燃ＨＣとも反応してさらに排気の温度が上昇する。つまり、エンジン１０の冷態始動直後等の排気浄化装置３２の不活性状態において排気の温度を急速に効率よく上げることができる。これにより、排気通路３９に設けられた排気浄化装置３２の触媒を速やかに昇温させることができる。一方、排気通路３９においてＣＯ及びＨＣがそれぞれＯ2と反応してＣＯ2及びＨ2Ｏとなるため、有害なＣＯ及びＨＣの排出を低減させることができる。
【００５５】
また、インジェクタ１８から噴射された燃料がバルブオーバラップの終了後（すなわち、すでに排気弁１５は閉弁状態となっているとき）に燃焼室に到達するように点火時期が制御されるため、燃料を含まない吸気の一部を排気ポート１２へ吹き抜けさせることができるとともに、シリンダ１９内をリッチとすることができる。これにより、排気通路３９での反応熱をより得ることができ、排気浄化装置３２の触媒を速やかに昇温させることができる。
【００５６】
また、点火時期をリタードさせることによって、排気温度をさらに高温にすることができ、排気浄化装置３２の昇温を促進させることができる。
また、スロットルバルブ２４の開度が、点火時期をリタードに基づいて増大されることで、点火時期のリタードによる出力（トルク）低下を抑制することができる。
【００５７】
また、吸気ポート１１の圧力を排気ポート１２の圧力よりも高めることによって、吸気ポート１１から排気ポート１２への新気の吹き抜けを促進することができ、より多くの酸素を排気通路３９へ送ることができるため、排気通路３９での酸化反応による熱を得ることができる。これにより、排気温度がさらに上昇し、排気浄化装置３２の昇温を促進することができる。
なお、スロットルバルブ２４によって吸気ポート１１の圧力を排気ポート１２の圧力よりも高める場合は、構成を簡素化することができる。また、ターボチャージャー３１によって吸気ポート１１の圧力を排気ポート１２の圧力よりも高める場合は、容易に圧力差を作ることができる。
【００５８】
さらに、従来は、ターボチャージャー３１を備えたエンジンでは排気系の熱容量が大きくなってしまい、排気浄化装置３２の早期昇温が困難であったが、本制御装置による昇温制御を実施すれば、ターボチャージャー３１が設けられていても、排気浄化装置３２を早期に昇温させることができる。
また、排気浄化装置３２が昇温されたと判定されたら通常の制御に切り替えられるため、エンジンへの出力要求に応えることができ、効率よく出力を確保することができる。
【００５９】
［６．その他］
以上、本発明の実施形態を説明したが、本発明は上記実施形態に限定されるものではなく、本発明の趣旨を逸脱しない範囲で種々変形することが可能である。
上記実施形態では、吸気弁１４及び排気弁１５のそれぞれについて、可変バルブリフト機構６ａと可変バルブタイミング機構６ｂとを備えた可変動弁機構６が設けられているが、少なくとも吸気弁１４及び排気弁１５の一方に可変バルブタイミング機構６ｂを備えた可変動弁機構が設けれていればよい。
【００６０】
また、上記実施形態では、インジェクタ１８から噴射された燃料がバルブオーバラップの終了後（すなわち、すでに排気弁１５は閉弁状態となっているとき）に燃焼室に到達するように点火時期が制御されているが、インジェクタ１８から噴射された燃料が少なくともバルブオーバラップの発生した後に燃焼室に到達するように噴射時期が制御されていればよい。
【００６１】
また、点火制御部１ｅによって点火時期がリタードされなくてもよい。この場合、スロットルバルブ２４の開度を増大することによる出力の増大は、例えば補機等を駆動することにより抑制することができる。
また、上記の実施形態では、スロットルバルブ２４及びターボチャージャー３１の双方を用いて吸気ポート１１側の圧力（吸気圧力）ＰINが排気ポート１２側の圧力よりも高くなるようにしているが、スロットルバルブ２４のみでも吸気を排気ポート１２へ吹き抜けさせることができるため、ターボチャージャー３１が設けられていないエンジンにも適用することができる。
【００６２】
また、上記実施形態では、温度判定部１ｆは、排気浄化装置３２が昇温されたか否かの判定を温度センサ４２で検出した排気温度Ｔを用いて行っているが、昇温されたか否かの判定はこれに限られない。例えば、検出した排気温度Ｔから判定するのではなく、エンジン１０の昇温制御を開始してから所定の時間が経過したら、排気浄化装置３２が昇温されたものと推定するように構成してもよい。つまり、エンジン状態判定部１ａによりエンジン１０の冷態始動が完了したと判定されたら、昇温制御を開始と同時にエンジン制御装置１に内蔵されたタイマーをスタートさせる。そして、予め実験等により昇温制御によって排気浄化装置３２が昇温されるまでの時間を求めておいて、時間によって昇温されたか否かを判定するように構成してもよい。
【００６３】
また、上記実施形態では、燃料噴射制御部１ｄによる燃料噴射時にはすでに排気弁１５は閉弁状態となっていたが、インジェクタ１８から排気ポート１２の入口までは距離があるため、燃料噴射時に排気弁１５が完全に閉弁状態となっていなくてもよく、燃料が排気ポート１２の入口に到達するときに閉弁されていればよい。つまり、この場合もオーバーラップによって排気ポート１２へ吹き抜けさせるのは酸素を含んだ吸気のみであって、燃料は吹き抜けないように制御される。
【符号の説明】
【００６４】
１  エンジン制御装置
１ａ  エンジン状態判定部
１ｂ  スロットル開度制御部（スロットル開度制御手段）
１ｃ  バルブタイミング制御部（開閉制御手段）
１ｄ  燃料噴射制御部（燃料噴射制御手段）
１ｅ  点火制御部（点火制御手段）
１ｆ  温度判定部（温度判定手段）
６  可変動弁機構
１０  エンジン
１１  吸気ポート
１２  排気ポート
１３  点火プラグ
１４  吸気弁
１５  排気弁
１８  インジェクタ（燃料噴射弁）
１９  シリンダ（気筒）
２４  スロットルバルブ
２５  吸気通路
３１  ターボチャージャー（過給機）
３２  排気浄化装置
３９  排気通路
【図１】
0005741345.tif 000002
【図２】
0005741345.tif 000003
【図３】
0005741345.tif 000004